(57)【要約】【課題】中皿の側面に凹部等を形成することなく、中皿に充填された固形化粧料等が割れたり，砕けたりするのを防ぐことができ、しかも、中皿が詰め替え可能な化粧料容器を提供する。【解決手段】上面に化粧皿収容凹部１ａが形成された容器本体１と、この容器本体１を蓋する蓋体とを備えている。そして、上記化粧皿収容凹部１ａの相対向する両側部に板ばね配設用凹部１２を形成し、これら両板ばね配設用凹部１２にそれぞれ板ばね１１を配設して互いに相対向するようにし、これら両板ばね１１に高剛性部を形成し、これら両板ばね１１の高剛性部を化粧皿３の相対向する両側部に接触させた状態で、化粧皿３を上記両板ばね１１で挟圧保持して上記化粧皿収容凹部１ａに収容し、上記両高剛性部と化粧皿３の相対向する両側部との両接触部分に生じる摩擦抵抗により、上記化粧皿収容凹部１ａから化粧皿３が上方に抜け出すのを防ぐように構成している。【選択図】図６
2005218639.tif 000002
【特許請求の範囲】
【請求項１】
上面に中皿収容凹部が形成された容器本体と、この容器本体を蓋する蓋体とを備え、上記中皿収容凹部の相対向する両側部に凹部を形成し、これら両凹部にそれぞれ可撓部材を配設して互いに相対向するようにし、これら両可撓部材に高剛性部を形成し、これら両可撓部材の高剛性部を中皿の相対向する両側部に接触させた状態で、中皿を上記両可撓部材で挟圧保持して上記中皿収容凹部内に収容し、上記両高剛性部と中皿の相対向する両側部との両接触部分に生じる摩擦抵抗により、上記中皿収容凹部から中皿が上方に抜け出すのを防ぐように構成したことを特徴とする化粧料容器。
【請求項２】
上記両可撓部材が、凹部奥側から凹部外側に向かって下り傾斜状に延びる爪部を有し，これら両爪部の先端部を高剛性に形成し、上記中皿収容凹部内に収容した中皿の相対向する両側部に、上記両爪部の先端部を上記下り傾斜状で接触させるように構成した請求項１記載の化粧料容器。
【発明の詳細な説明】
【技術分野】
【０００１】
本発明は、化粧料容器に関するものである。
【背景技術】
【０００２】
従来から、ファンデーション等の固形化粧料（打型された化粧料）を収容して携帯するコンパクトとして、図１１に示すようなものが出回っている。このコンパクトは、上面にパフ収容凹部４２と化粧皿収容凹部４３とが前後に形成された容器本体４１と、この容器本体４１の上面を蓋する蓋体４４とを備えており、上記容器本体４１の後端部に設けた凹部４１ａに蓋体４４の後端部４４ａをヒンジ連結している。また、上記化粧皿収容凹部４３には、その左右両側面に左右一対の凹部４３ａ（図１２参照。この図１２では、一方の凹部４３ａしか図示せず）が相対向する状態で形成されており、これら両凹部４３ａの底面から弾性板４５が立設されているとともに、これら両弾性板４５の上端部に凸部４５ａが突設されている。また、上記化粧皿収容凹部４３には、その後側面に突条（図示せず）が形成されている。そして、上記化粧皿収容凹部４３内に化粧皿４６を収容した状態では、上記両弾性板４５の凸部４５ａに、化粧皿４６の左右両側面に形成された左右一対の凹部４６ａ（図１３参照。この図１３では、一方の凹部４６ａしか図示せず）が着脱自在に係合し、上記突条に、化粧皿４６の後側面に形成された凹部（図示せず）が着脱自在に係合している。このように、上記両弾性板４５を用いることにより、上記両弾性板４５の緩衝作用を利用し、運搬時や使用時等にコンパクトを誤って床上に落下させたり、携帯中に誤って他物に当てたりした場合にも、化粧皿４６に充填された固形化粧料４７が落下時等の衝撃で割れたり、砕けたりするのを防止している。また、上記化粧皿４６を詰め替え可能としている（例えば、特許文献１参照）。図１１において、４８は上記パフ収容凹部４２に収容されたパフで、４９は開蓋用のフックピースである。
【特許文献１】実開平６−７９４１８号公報
【発明の開示】
【発明が解決しようとする課題】
【０００３】
しかしながら、上記のコンパクトでは、化粧皿４６の左右両側面および後側面に凹部４６ａが形成されているため、化粧皿４６の落下強度が低下する。しかも、化粧皿４６の成形金型として、上記凹部４６ａを形成することができる特殊な成形金型を使用しなければならず、その分成形金型が高価になり、コンパクトのコストが上がる。そこで、化粧皿４６の左右両側面や後側面に凹部４６ａ等を形成することなく、化粧皿４６に充填された固形化粧料４７等が落下時等の衝撃で割れたり、砕けたりするのを防ぐことができ、しかも、化粧皿４６が詰め替え可能な化粧料容器の提供が強く要望されている。
【０００４】
本発明は、このような事情に鑑みなされたもので、中皿の側面に凹部等を形成することなく、中皿に充填された固形化粧料等が割れたり，砕けたりするのを防ぐことができ、しかも、中皿が詰め替え可能な化粧料容器の提供をその目的とする。
【課題を解決するための手段】
【０００５】
上記の目的を達成するため、本発明の化粧料容器は、上面に中皿収容凹部が形成された容器本体と、この容器本体を蓋する蓋体とを備え、上記中皿収容凹部の相対向する両側部に凹部を形成し、これら両凹部にそれぞれ可撓部材を配設して互いに相対向するようにし、これら両可撓部材に高剛性部を形成し、これら両可撓部材の高剛性部を中皿の相対向する両側部に接触させた状態で、中皿を上記両可撓部材で挟圧保持して上記中皿収容凹部内に収容し、上記両高剛性部と中皿の相対向する両側部との両接触部分に生じる摩擦抵抗により、上記中皿収容凹部から中皿が上方に抜け出すのを防ぐように構成したという構成をとる。
【発明の効果】
【０００６】
すなわち、本発明の化粧料容器は、上面に中皿収容凹部が形成された容器本体と、この容器本体を蓋する蓋体とを備えており、上記中皿収容凹部の相対向する両側部に凹部を形成し、これら両凹部にそれぞれ、高剛性部が形成された可撓部材を配設して互いに相対向するようにしている。そして、上記中皿収容凹部に中皿を収容，固定する場合には、上記中皿収容凹部の上側に中皿を位置決めし、その状態で中皿を下降させて上記中皿収容凹部内に押し込むことを行う。これにより、（上記中皿収容凹部の相対向する両側部に形成された）上記凹部から外側に突出する上記両可撓部材の部分に、中皿の相対向する両側部が当接してこれらを押し拡げながら下降したのち、上記両可撓部材の高剛性部に当接し、これら両可撓部材の高剛性部を中皿の相対向する両側部に接触させた状態で、中皿を両可撓部材で挟圧保持して上記中皿収容凹部内に収容される。この状態で、運搬時等に化粧料容器を誤って床上に落下させる等し、この衝撃で中皿が上下に移動しようとしても、上記両高剛性部の高剛性により、これら両高剛性部が殆ど上下方向に変形することがない等、上記両高剛性部と中皿の相対向する両側部との両接触部分に大きな摩擦抵抗が生じ、この摩擦抵抗により、中皿の上下への移動を阻止して上記接触状態が外れることがないため、上記中皿収容凹部から中皿が上方に抜け出すことがなくなる。
【０００７】
一方、中皿を上記中皿収容凹部から取り出す場合には、上記中皿収容凹部の底壁に穿設された孔等を利用し、この孔等の下方から棒等を差し込み、この棒等の先端部で中皿の下面を押し上げ、上記両可撓部材の高剛性部と中皿の相対向する両側部との当接状態を外したのち、さらに中皿を上記両可撓部材に沿って上方に移動させ、上記中皿収容凹部から飛び出させて取り出すことを行う。このように、本発明では、中皿の側面に凹部等を形成する必要がなく、高剛性部が形成された可撓部材を用い、中皿を上記中皿収容凹部に収容，固定することができるため、中皿の落下強度が低下しない。しかも、運搬時や使用時等に化粧料容器を誤って床上に落下させたり、携帯中に誤って他物に当てたりしても、上記可撓部材の緩衝作用により、落下時等の衝撃を緩衝させて中皿に伝達することができるため、中皿に充填された固形化粧料等が割れたり、砕けたりするのを防止することができる。しかも、上記中皿収容凹部から中皿を簡単に取り出すことができるため、中皿が詰め替え可能となる。
【０００８】
なお、本発明において、「可撓部材」とは、可撓性を有するものであれば、どのようなものでもよい。このような「可撓部材」としては、例えば、合成樹脂製もしくは金属製の板ばねがあげられる。また、上記可撓部材は、容器本体と別体に作製されたものでも、容器本体と一体成形されたものでもよいし、上記別体に作製されたものを、容器本体に着脱自在に設けてもよいし、容器本体に接着剤等により固定してもよい。また、「高剛性部」とは、高剛性を有するものであれば、どのようなものでもよい。高剛性を有するものとしては、中皿が上記両可撓部材で挟圧保持されている状態で、運搬時等に化粧料容器を誤って床上に落下させる等して、中皿が上下に移動しようとしても、上記両高剛性部の高剛性により、これら両高剛性部が殆ど上下方向に変形しない等、上記両可撓部材の高剛性部と中皿の相対向する両側部とが接触する部分に所定の摩擦抵抗が生じるものであればよい。また、中皿を上記中皿収容凹部に収容する際に、中皿の相対向する両側部が上記両可撓部材に当接しながら下降して上記両高剛性部にスムーズに挟圧保持されるものがよい。このような「高剛性部」としては、金属（例えば、鉄）と同等の硬さを有するものが好ましいが、中皿が金皿である場合には、この金皿の金属材料よりも硬いものでよく、中皿が樹脂皿である場合には、この樹脂皿の樹脂材料より硬いものでよい。また、可撓部材の全体を高剛性に形成することにより、可撓部材の一部（例えば、先端部）に高剛性部を設けるようにしてもよいし、可撓部材の一部（例えば、先端部）だけを高剛性部に形成するようにしてもよい。この場合には、可撓部材の上記一部と他部をそれぞれ剛性の異なる樹脂材料で成形してもよいし、可撓部材の全体を高剛性に形成したのち、上記他部に細かな溝を形成すること等で柔軟性を付与するようにしてもよい。
【０００９】
また、上記両可撓部材が、凹部奥側から凹部外側に向かって下り傾斜状に延びる爪部を有し、これら両爪部の先端部を高剛性に形成し、上記中皿収容凹部内に収容した中皿の相対向する両側部に、上記両爪部の先端部を上記下り傾斜状で接触させるように構成すると、中皿が上方に移動しようとしても、上記下り傾斜状に延びる両爪部の先端部で中皿の相対向する両側部を下方に押さえることができるため、上記接触する部分で大きな摩擦抵抗が生じ、この大きな摩擦抵抗により、運搬時等に化粧料容器を誤って床上に落下させる等した場合にも、上記中皿収容凹部から中皿が上方に抜け出すのを防ぐことができる。
【発明を実施するための最良の形態】
【００１０】
つぎに、本発明の実施の形態を図面にもとづいて詳しく説明する。
【００１１】
図１は本発明の化粧料容器の一実施の形態を示している。図において、１は合成樹脂製の容器本体で、２は上記容器本体１を蓋する合成樹脂製の蓋体で、３はファンデーション等の固形化粧料（打型された化粧料）３ａが充填された金属製もしくは合成樹脂製の化粧皿（中皿）で、４はパフである。上記容器本体１には、図２および図３に示すように、その上面に、上記化粧皿３が収容，固定される略四角形状の化粧皿収容凹部（中皿収容凹部）１ａと、上記パフ４が収容されるパフ収容凹部１ｂとが形成されており、上記化粧皿収容凹部１ａの４つの角部（相対向する右前側の角部と左後側の角部、および相対向する右後側の角部と左前側の角部）に、金属製の板ばね（可撓部材）１１（図３では、相対向する２つの板ばね１１しか図示せず）が配設された板ばね配設用凹部１２が、上記各角部から上記化粧皿収容凹部１ａの２本の対角線に沿って外側に延びるようにして形成されている。上記各板ばね１１は、上記各板ばね配設用凹部１２の奥側面（この奥側面は平坦面に形成されている）に接着，固定される縦片部１１ａと、この縦片部１１ａの上端部から上記板ばね配設用凹部１２の外側（すなわち、上記化粧皿収容凹部１ａの内側）に向かって下り傾斜状に延びる押圧片部（爪部）１１ｂとからなっており（図４参照）、右前側と左後側の板ばね１１同士が相対向し、右後側と左前側の板ばね１１同士が相対向している。また、上記各板ばね１１が金属製であるため、全体が（当然に、上記各押圧片部１１ｂの先端部も）高剛性に形成されている。このような、上記各押圧片部１１ｂの先端部は、上記化粧皿収容凹部１ａに化粧皿３を収容した状態で、上記化粧皿３の４つの角部に下り傾斜姿勢で圧接状に接触するようにしている。
【００１２】
また、上記化粧皿収容凹部１ａの底壁の左端部には、棒等（図示せず）を挿入するための小穴１４が穿設されており、化粧皿３を化粧皿収容凹部１ａから取り出す際に利用される。また、上記容器本体１の前端部には、その左右方向中央部分に前側切欠き凹部１６が切欠き形成されており、この前側切欠き凹部１６に開蓋用のフックピース１７が回動自在に固定されている。また、上記容器本体１の後端部には、その左右方向中央部分に後側切欠き凹部１８が切欠き形成されており、この後側切欠き凹部１８の左右両側壁に、ヒンジ軸（図示せず）を挿通する左右一対のヒンジ軸挿通孔（図示せず）が相対向状に穿設されている。
【００１３】
一方、上記蓋体２には、その下面の前端部から、上記容器本体１の前側切欠き凹部１６の後側壁に突設された係合部１６ａ（図１および図２参照）に着脱自在に係合する被係合部２ａ（図１参照）が突設されている。また、上記蓋体２には、その下面の後端部の左右方向中央部分から、容器本体１の後側切欠き凹部１８に収容しうるヒンジ連結部１９（図１参照）が垂下しており、上記容器本体１の左右両貫通孔に対応する上記ヒンジ連結部１９の部分に、上記ヒンジ軸（図示せず）を挿通するヒンジ軸挿通孔（図示せず）が穿設されている。図１において、２０は上記蓋体２の下面に接着，固定された鏡である。
【００１４】
上記の構成において、容器本体１の化粧皿収容凹部１ａに化粧皿３を収容，固定する場合には、化粧皿３を上記化粧皿収容凹部１ａの上側に位置決めし（図５参照）、その状態で、化粧皿３を下降させて上記化粧皿収容凹部１ａ内に押し込むことを行う。これにより、化粧皿３の４つの角部が、上記板ばね配設用凹部１２から外側に突出する上記各板ばね１１の押圧片部１１ｂの部分に当接してこれらを拡げながら上記化粧皿収容凹部１ａ内を下降し、上記化粧皿収容凹部１ａの底面上に載置される。この状態で、化粧皿３の４つの角部が各板ばね１１の押圧片部１１ｂで挟圧保持されて上記化粧皿収容凹部１ａ内に収容される（図６および図７参照）。このとき、上記各板ばね１１の押圧片部１１ｂは下向き傾斜姿勢であるため、上記各押圧片部１１ｂの先端部が化粧皿３の４つの角部に下向きに接触しており、かつ、上記したように、上記各押圧片部１１ｂの先端部が高剛性であるため、運搬時等に化粧料容器を誤って床上に落下させる等して、化粧皿３が上記化粧皿収容凹部１ａから上下に移動しようとしても、上記各押圧片部１１ｂの先端部が上下方向に変形等することがないため、上記接触状態が外れることがなく、化粧皿３が上方へ抜け出すことが防止される。
【００１５】
一方、化粧皿３を上記化粧皿収容凹部１ａから取り出す場合には、上記化粧皿収容凹部１ａの小孔１４の下方から棒等（図示せず）を差し込み、棒等の先端部で化粧皿３の底面を押し上げ、上記接触状態を外したのち、さらに化粧皿３を上方に移動させて、上記化粧皿収容凹部１ａから飛び出させ上記化粧皿収容凹部１ａから取り出すことを行う。
【００１６】
上記のように、この実施の形態では、化粧皿３の側面に凹部等を形成する必要がなく、板ばね１１を用い、化粧皿３を上記化粧皿収容凹部１ａ内に収容，固定することができるため、化粧皿３の落下強度が低下しない。しかも、運搬時や使用時等に化粧料容器を誤って床上に落下させたり、携帯中に誤って他物に当てたりした場合にも、上記各板ばね１１の緩衝作用により、化粧皿３に充填された固形化粧料３ａが割れたり、砕けたりするのを防止することができる。しかも、運搬時等に化粧料容器を誤って床上に落下させる等しても、上記各板ばね１１の押圧片部１１ｂにより、化粧皿３が上記化粧皿収容凹部１ａから上方に抜け出すのを防ぐことができる。しかも、上記化粧皿収容凹部１ａから化粧皿３を簡単に取り出すことができるため、化粧皿３が詰め替え可能となる。
【００１７】
図８は本発明の化粧料容器の他の実施の形態に用いる容器本体１の要部を示している。この実施の形態では、容器本体１は、合成樹脂製（例えば、ＰＣ（ポリカーボネート），ＰＯＭ（ポリアセタール）等の硬質樹脂製）であり、その化粧皿収容凹部１ａの各板ばね配設用凹部１２に配設される板ばね２２（図８および図１０では、相対向する２つの板ばね２２しか図示せず）は、容器本体１を成形する際に、容器本体１と一体成形されたものである。したがって、この実施の形態では、図１〜図７に示す実施の形態における板ばね１１が上記化粧皿収容凹部１ａの奥側面に接着，固定されていない。上記各板ばね２２は、上記各板ばね配設用凹部１２の天井壁１２ａの前端縁から一体的に垂下する縦片部２２ａと、これら各縦片部２２ａの下端部から上記各板ばね配設用凹部１２の外側（すなわち、上記化粧皿収容凹部１ａの内側）に突出する状態で形成された一条の押圧突条部２２ｂとからなっている（図９参照）。また、上記各押圧突条部２２ｂは、容器本体１が硬質樹脂材料により成形されていることから、高剛性に形成されており、これら各押圧突条部２２ｂが、上記化粧皿収容凹部１ａに化粧皿３を収容した状態で、上記化粧皿３の４つの角部に圧接状に接触するようにしている（図１０参照）。それ以外の部分は図１〜図７に示す実施の形態と同様であり，同様の部分には同じ符号を付している。この実施の形態でも、図１〜図７に示す実施の形態と同様の作用・効果を奏する。
【図面の簡単な説明】
【００１８】
【図１】本発明の化粧料容器の一実施の形態を示す斜視図である。
【図２】容器本体の平面図である。
【図３】上記容器本体の要部を示す断面図である。
【図４】板ばねの斜視図である。
【図５】上記化粧料容器の作用を示す要部の断面図である。
【図６】化粧皿を取り付けた状態を示す容器本体の要部の断面図である。
【図７】上記化粧皿を取り付けた状態を示す容器本体の平面図である。
【図８】本発明の化粧料容器の他の実施の形態に用いる容器本体の要部の断面図である。
【図９】板ばねの説明図である。
【図１０】化粧皿を取り付けた状態を示す容器本体の要部の断面図である。
【図１１】従来例を示す斜視図である。
【図１２】上記従来例の容器本体の要部を示す斜視図である。
【図１３】上記従来例の化粧皿を示す斜視図である。
【符号の説明】
【００１９】
１  容器本体
１ａ  化粧皿収容凹部
３  化粧皿
１１  板ばね
１２  板ばね配設用凹部
【図１】
2005218639.tif 000003
【図２】
2005218639.tif 000004
【図３】
2005218639.tif 000005
【図４】
2005218639.tif 000006
【図５】
2005218639.tif 000007
【図６】
2005218639.tif 000008
【図７】
2005218639.tif 000009
【図８】
2005218639.tif 000010
【図９】
2005218639.tif 000011
【図１０】
2005218639.tif 000012
【図１１】
2005218639.tif 000013
【図１２】
2005218639.tif 000014
【図１３】
2005218639.tif 000015